(57)【要約】      （修正有）【課題】心地よい座り心地を実現しつつ、外見及び構造を簡素化をも実現することができる椅子を提供する。【解決手段】椅子Ａは、着座部Ａ２１及びこの着座部Ａ２１の両側部から連続して左右に垂下させた左右の垂下部Ａ２２を有する弾性変形し得る板材から構成された座と、この座の左右を直接支持する座支持部Ａ１２を有する脚構造体Ａ１とを有し、当該脚構造体Ａ１に支持されていない座の中央と脚構造体Ａ１との間に前記座の弾性変形を許容する変形許容空間Ｓが形成されている椅子Ａであって、垂下部Ａ２２の下端Ａ２２ａが、脚構造体Ａ１における座支持部Ａ１２よりも下方に位置付けられている。【選択図】図１
2012100769.tif 000002
【特許請求の範囲】
【請求項１】
水平方向に延びる着座部及びこの着座部の両側部から連続して左右に垂下させた左右の垂下部を有する弾性変形し得る板材から構成された座と、
この座の左右を直接支持する座支持部を有する脚構造体とを有し、
当該脚構造体に支持されていない前記座の中央と前記脚構造体との間に前記座の弾性変形を許容する変形許容空間が形成されている椅子であって、
前記垂下部の下端が、前記脚構造体における座支持部よりも下方に位置付けられていることを特徴とする椅子。
【請求項２】
前記垂下部の下部を前記脚構造体に支持させている請求項１記載の椅子。
【請求項３】
前記座が優先的に弾性変形し得る変形助長部を有している請求項１、２または３記載の椅子。
【請求項４】
前記変形助長部がスリットである請求項３記載の椅子。
【請求項５】
前記着座部の下面を前記座支持部により支持させている請求項１記載の椅子。
【請求項６】
前記座支持部が前記着座部に係り得る係合凸部を有するものであり、
この係合凸部の頂面に前記着座部に設けられた係合凹部の下向き面が乗せ置かれている請求項５記載の椅子。
【発明の詳細な説明】
【技術分野】
【０００１】
本発明は、オフィスの休憩スペースなどに設置される所謂スツールと称される、使用者が容易に座ることができる椅子に関するものである。
【背景技術】
【０００２】
従来、オフィスにおいては、主に執務を行なう為に着座する椅子とは別に、休憩スペース等には、一時的に座るためのスツールと称される椅子が設置されている。このような椅子は、主に背凭れを有さないものが多く前後左右どの方向からでも気軽に腰を掛け得るように構成されている(例えば、特許文献１参照)。
【０００３】
そして斯かるスツールと称される椅子においても、執務用に用いられる事務用回転椅子同様に、座り心地が良いように構成されているものが求められている。そしてこのような椅子は見た目上、周囲のオフィス空間に調和し易いように、外見並びに構造がシンプルなものが望まれており、特に座の取り付け箇所や部品の接合箇所等の見た目がシンプルなものが、ひいては椅子全体をシンプルな外見とするための要件として、望ましいと考えられている。
【先行技術文献】
【特許文献】
【０００４】
【特許文献１】実用新案登録第３１２８４４４号公報（図１、図２参照）
【発明の概要】
【発明が解決しようとする課題】
【０００５】
本発明は、このような不具合に着目したものであり、使用者が一時的に座るための椅子であって、心地よい座り心地を実現しつつ、外見及び構造を簡素化をも実現することができる椅子を提供することを目的としている。
【課題を解決するための手段】
【０００６】
本発明は、このような目的を達成するために、次のような手段を講じたものである。
【０００７】
すなわち本発明に係る椅子は、水平方向に延びる着座部及びこの着座部の両側部から連続して左右に垂下させた左右の垂下部を有する弾性変形し得る板材から構成された座と、この座の左右を直接支持する座支持部を有する脚構造体とを有し、当該脚構造体に支持されていない前記座の中央と前記脚構造体との間に前記座の弾性変形を許容する変形許容空間が形成されている椅子であって、前記垂下部の下端が、前記脚構造体における座支持部よりも下方に位置付けられていることを特徴とする。
【０００８】
ここで、「左右」とは、着座者の左右のみを指すものではない。すなわち着座者が座る方向には関係なく、ある方向から見た場合の外側つまり両側に位置付けられた箇所を意味する概念である。また、「水平」とは、厳密に水平面を構成し得る面に限定するものではなく、水平方向に延びるように位置付けられているという概念である。したがって、多少の湾曲、隆起、凹凸等を含んだものも「水平」に含まれる。また勿論「垂下部」においても、厳密に垂直方向に垂れ下がった構成のみを指すものではない。多少傾斜した方向であったり、湾曲、屈曲する箇所を含んだりしつつも、下方に向けて延伸している構成を意味する概念である。
【０００９】
このようなものであれば、垂下部の下端は座支持部よりも常に下方に位置付けられる為、この垂下部に座支持部を隠蔽する役割を担わせたり、また座支持部に支持された座を脚構造体に対して位置決めする役割を担わせたりして座支持部自体の構成を簡素化することで、見た目上シンプルな椅子を構成することができる。そのほか、この垂下部を種々の目的に使用可能な椅子を実現することができる。
【００１０】
そして、座の好適な弾性変形を促せるための構成の一つとして、垂下部の下部を脚構造体に支持させている構成を挙げることができる。
【００１１】
加えて、座り心地が良いように座を弾性変形させるためには、座が優先的に弾性変形し得る変形助長部を有するようにして、所望の箇所が優先的に弾性変形し得るように構成することが望ましい。
【００１２】
そして斯かる変形助長部には、座の所望の箇所にスリットを設けたり、座自体の形状によって所望の箇所を変形し易いように構成したり、または所望の箇所を薄肉にしたり、より変形し易い素材を用いたりするという構成を挙げることができる。その中でも、単純な構成で変形助長部を構成するという観点からは、変形助長部がスリットであるものが好ましい。
【００１３】
他方、脚構造体が座を確実に支持するようにするための構成としては、着座部の下面を脚座支持部により支持させているものを挙げることができる。
【００１４】
座と脚構造体との位置決めを確実に行なうためには、座支持部を着座部に係り得る係合凸部を有するものとし、この係合凸部の頂面に着座部に設けられた係合凹部の下向き面を乗せ置く構成とすることが望ましい。
【発明の効果】
【００１５】
本発明によれば、垂下部の下端は座支持部よりも常に下方に位置付けられる為、この垂下部に座支持部を隠蔽する役割を担わせたり、また座支持部に支持された座を脚構造体に対して位置決めする役割を担わせたりして座支持部自体の構成を簡素化することで、見た目上シンプルな椅子を提供することができる。
【図面の簡単な説明】
【００１６】
【図１】本発明の第一実施形態に係る椅子の外観図。
【図２】同正面図。
【図３】同側面図。
【図４】同構成説明図。
【図５】同実施形態の変形例に係る外観図。
【図６】同他の変形例に係る正面図。
【図７】本発明の第二実施形態に係る椅子の外観図。
【図８】同構成説明図。
【図９】本発明の第三実施形態に係る椅子の外観図。
【図１０】同構成説明図。
【図１１】本発明の第４実施形態に係る椅子の外観図。
【図１２】同構成説明図。
【図１３】本発明の第５実施形態に係る椅子の外観図。
【図１４】同構成説明図。
【図１５】本発明の第６実施形態に係る椅子の外観図。
【図１６】同構成説明図。
【図１７】本発明の変形例に係る外観図。
【発明を実施するための形態】
【００１７】
以下、本発明の各実施形態について図面を参照して説明する。
【００１８】
＜第一実施形態＞
本実施形態に係る椅子Ａは、例えばオフィスにおいて、執務のために主に使用される事務用回転椅子Ａとは別に、オフィス内に設けられた休憩スペース等に備えられるものである。そして当該椅子Ａは、作業の合間や休憩時間に執務者が一時的に座Ａ２ったり、オフィスの執務者以外のものが一時的に気軽に腰を掛けたりできるものである。
【００１９】
この椅子Ａは、図１及び図２に示す通り、背凭れを有さない構成となっているので、この椅子Ａに座ろうとする者は正面、側面或いは背面といった方向に拘わらず、所望の方向から座ることができる。
【００２０】
ここで、本実施形態に係る椅子Ａは、着座部Ａ２１及びこの着座部Ａ２１の両側部から連続して左右に垂下させた左右の垂下部Ａ２２を有する弾性変形し得る板材から構成された座Ａ２と、この座Ａ２の左右を直接支持する座支持部Ａ１２を有する脚構造体Ａ１とを有し、当該脚構造体Ａ１に支持されていない座Ａ２の中央と脚構造体Ａ１との間に前記座Ａ２の弾性変形を許容する変形許容空間Ｓが形成されている椅子Ａであって、垂下部Ａ２２の下端Ａ２２ａが、脚構造体Ａ１における座支持部Ａ１２よりも下方に位置付けられていることを特徴とするものである。
【００２１】
以下、本実施形態に係る椅子Ａの構成について説明する。
【００２２】
同実施形態に係る椅子Ａは、上述の通り、主に竹の合板からなる脚構造体Ａ１と、座Ａ２とを有している。なお本実施形態の椅子Ａは、竹材を用いることにより、全体として軽量なものとなっているのみならず、製造においては竹材の有効利用にも寄与し得るものとなっている。また、勿論、竹の他にも他の木材や、その合板によって当該椅子Ａを構成しても良い。
【００２３】
脚構造体Ａ１は、竹の集成材を面方向に接着してなる層状のもの、すなわち、竹の繊維方向に細長く取出した単材を繊維方向と直交する幅方向に複数繋ぎ合せた集成材を、繊維方向を異ならせるように交互に重ね合わせて一体化することで所定の厚みを有するようにした合板により、座Ａ２並びに着座者の荷重に耐え得る強度を有するよう構成されている。この脚構造体Ａ１は、一体的に構成された上述の竹の合板を適宜成型することによって、左右の端部に位置付けられた立壁状の対をなす脚部Ａ１１と、この脚部Ａ１１の状態に位置付けられた座Ａ２を支持するための座支持部Ａ１２と、そして左右の脚部Ａ１１の上部から横架することによってこれら脚部Ａ１１間に介在する介在部Ａ１３とを有している。そして本実施形態では、脚部Ａ１１の上端付近にそれぞれ２箇所において座Ａ２を位置決めするための箇所として、座支持部Ａ１２を設定している。この座支持部Ａ１２が座Ａ２を支持する具体的な態様は、例えば図示の箇所やその周囲を接着したり、別体の留め具を用いて座Ａ２を固定したりするなど、既存の種々の態様を適用することができる。
【００２４】
座Ａ２は、同図に示すように脚構造体Ａ１の上方を覆うように乗せ置かれた状態で脚構造体Ａ１に固定されてなるものであり、脚構造体Ａ１に固定された状態では当該脚構造体Ａ１とともに、詳細には、その中央部と脚構造体Ａ１、詳細には介在部Ａ１３との間に、座Ａ２の変形による座Ａ２の中央部分の下方への一時的な移動を許容し得る変形許容空間Ｓを形成しているものである。またこの座Ａ２は、上記脚構造体Ａ１と同様に竹の集成材を繊維方向を異ならせるように交互に重ね合わせて一体化することで所定の厚みを有するようにした合板により構成したものであるが、上記脚構造体Ａ１を構成するものよりも若干厚みを小さく構成することにより、着座者の荷重に耐え得る強度を有するものの、着座によって全体的に弾性変形し得るよう設定されている。
【００２５】
当該座Ａ２は、主に着座者の荷重を直接受ける着座部Ａ２１と、この着座部Ａ２１の左右両端から外方に垂下させることによって設けられた垂下部Ａ２２とを有している。そして当該座Ａ２は垂下部Ａ２２を左右方向にのみ形成するとともに着座部Ａ２１を主に正面視でのみ湾曲した形状とすることにより全体的に正面視における断面が何れも略同形状となるような湾曲帯状に形成されることで、全体として撓みやすい形状となっている。着座部Ａ２１は、主に着座面を構成するもので、正面視における中央部分が下がるように緩やかに湾曲させた形状を有しており、着座部Ａ２１の下面Ａ２１ａ側はいずれの位置においても介在部Ａ１３との間に所定寸法、すなわち変形許容空間Ｓのサイズだけ離間したものとなっている。垂下部Ａ２２は、着座部Ａ２１の両端から左右対称に対をなして形成されており、着座部Ａ２１に近接した上部Ａ２２１は円弧状に湾曲するとともに、下部Ａ２２２は脚構造体Ａ１に支持させている。具体適にはこの垂下部Ａ２２の下部は、脚構造体Ａ１に密着し得るように平板状に構成されている。
【００２６】
しかして本実施形態に係る椅子Ａは、垂下部Ａ２２の下部を座支持部Ａ１２に支持させつつ、垂下部Ａ２２の下端Ａ２２ａを、脚構造体Ａ１における座支持部Ａ１２よりも下方に位置付けることによって、外方から座支持部Ａ１２、すなわち脚構造体Ａ１と座Ａ２との接続箇所を有効に隠蔽し得るものとなっている。
【００２７】
以上のような構成とすることにより、本実施形態に係る椅子Ａは、垂下部Ａ２２の下端Ａ２２ａは座支持部Ａ１２よりも下方に位置付けられるものとなっているので、この垂下部Ａ２２に座支持部Ａ１２を隠蔽する役割を担わせて、見た目上シンプルな椅子Ａを実現している。その結果、種々のオフィスのデザインに好適に調和し得るシンプルな外見を実現しつつも、座Ａ２り心地の良い椅子Ａを実現している。
【００２８】
加えて本実施形態では、垂下部Ａ２２の下部を脚構造体Ａ１に支持させて座Ａ２における弾性変形し得る部分を多く設定することによって座Ａ２の好適な弾性変形を促されて、好適な座Ａ２り心地を提供し得るだけの好適なクッション性を獲得し得るものとなっている。
【００２９】
＜変形例＞
以下に、本実施形態の各変形例並びに他の実施形態について、順次説明していく。なお以下に記していく各実施形態について、同じ又は相当する構成要素については同じ符号を付するとともに、それらの詳細な説明は適宜省略するものとする。
【００３０】
本変形例に係る椅子Ａは、上記実施形態と同じ形状の脚構造体Ａ１を有したものであるが、図５に示すように、変形助長部たるスリットＡ２３を形成した座Ａ２を有しているものである。具体的には、このスリットＡ２３は、座Ａ２の前後方向に５箇所すなわち計１０箇所に、上下方向に延出させて設けられたものである。
【００３１】
このように、座Ａ２がスリットＡ２３を有したものとなれば、座Ａ２の形状を維持したまま全体的な弾性を向上させたり座Ａ２とスリットＡ２３全体を弾性変形させたりすることができるので、より座り心地の良いものとすることができる。
【００３２】
＜他の変形例＞
また本実施形態の他の変形例として、図６に示すように、スリットＡ２３の代わりに、変形助長部として、座Ａ２の肉厚を部分的に薄く形成した薄肉部Ａ２４を形成したものとしても良い。
【００３３】
このように、座Ａ２が薄肉部Ａ２４を有したものとなれば、当該薄肉部Ａ２４が優先的に弾性変形し得るようになる。その結果、上記変形例同様に座Ａ２が所望の弾性を獲得して、座り心地をより向上させた椅子Ａを提供することができる。
【００３４】
＜第二実施形態＞
以下に、本実施形態の第二実施形態について説明する。なお以下に記していく各実施形態について、同じ又は相当する構成要素については頭文字を「Ａ」に代えて、「Ｂ」と記す以外は同じ数字を付するとともに、それらの詳細な説明は適宜省略するものとする。
【００３５】
本実施形態に係る椅子Ｂは、上記実施形態同様に、垂下部Ｂ２２の下部Ｂ２２２を座支持部Ｂ１２に支持させつつ、垂下部Ｂ２２の下端Ｂ２２ａを、脚構造体Ｂ１における座支持部Ｂ１２よりも下方に位置付けているものであるが、座支持部Ｂ１２が挿入穴Ｂ１２ｂを有する構成とすることによって、垂下部Ｂ２２の下端Ｂ２２ａに座Ｂ２の脚構造体Ｂ１に対する位置決めの役割を担わせたものとしている。
【００３６】
詳細には、脚構造体Ｂ１の座支持部Ｂ１２が有する挿入穴Ｂ１２ｂは、脚部Ｂ１２の上端付近に前後方向に延出するように設けられた側面視矩形状の開口である。そして本実施形態では、座Ｂ２の垂下部Ｂ２２を部分円状に湾曲する上部Ｂ２２１と脚構造体Ｂ１に密着し得る平板状の下部Ｂ２２２を有するものとしているが、上部Ｂ２２１と下部Ｂ２２２との前後寸法を異ならせることによって上部Ｂ２２１と下部Ｂ２２２との間に当接端Ｂ２２ｂを形成している。この当接端Ｂ２２ｂが、下部Ｂ２２２が挿入穴Ｂ１２ｂを通過した状態で脚部Ｂ１２に当接することにより、座Ｂ２の上下の位置決めが確実に行われる。加えて、下部Ｂ２２２が脚部Ｂ１２の内方から密着する構成とすることにより、座Ｂ２はがたつき無く確実に脚構造体Ｂ１に位置決めされる。
【００３７】
以上のように、本実施形態に係る椅子Ｂは、上記実施形態同様に座支持部Ｂ１２よりも常に下方に位置付けることにより、この垂下部Ｂ２２に座支持部Ｂ１２を隠蔽する役割の代わりに座支持部Ｂ１２に支持された座Ｂ２を脚構造体Ｂ１に対して位置決めする役割を担わせることで、座支持部Ｂ１２自体の構成を簡素化することで、見た目上シンプルな椅子Ｂを構成し得たものとなっている。しかも本実施形態における座Ｂ２及び脚構造体Ｂ１の形状であれば、座Ｂ２の交換も容易に行い得るものとなっている。
【００３８】
＜第三実施形態＞
以下に、本実施形態の第三実施形態について説明する。なお以下に記していく各実施形態について、同じ又は相当する構成要素については頭文字を「Ａ」又は「Ｂ」に代えて、「Ｃ」と記す以外は同じ数字を付するとともに、それらの詳細な説明は適宜省略するものとする。
【００３９】
本実施形態に係る椅子Ｃは、上記各実施形態同様に、竹製の脚構造体Ｃ１、そして着座部Ｃ２１、垂下部Ｃ２２を有した弾性変形し得る座Ｃ２を有したものである。しかし、本実施形態に係る椅子Ｃは、図９及び図１０に示すように、前記着座部Ｃ２１の下面Ｃ２１ａを座支持部Ｃ１２により支持させている。
【００４０】
詳細に説明すると、脚構造体Ｃ１は、上記実施形態同様の脚部Ｃ１１と介在部Ｃ１３とを有する一方、座支持部Ｃ１２は脚部Ｃ１１の上端を構成する竹材を一部垂直に切り起こすとともに、その上端を水平に構成した係合凸部Ｃ１２ａを有している。他方、座Ｃ２の着座部Ｃ２１の下面Ｃ２１ａには、当該係合凸部Ｃ１２ａと凹凸係合し得る四箇所の係合凹部Ｃ２１ｂを形成している。この係合凹部Ｃ２１ｂは着座部Ｃ２１の四隅にのみ形成されることで、座Ｃ２の中央部の下面Ｃ２１ａと介在部Ｃ１３との間には上記実施形態同様に、変形許容空間Ｓか形成されている。しかして本実施形態では、このように脚構造体Ｃ１と座Ｃ２とが、係合凸部Ｃ１２ａの上方から係合凹部Ｃ２１ｂが乗せ置かれた凹凸係合により取り付けつつも、垂下部Ｃ２２の下端は、当該係合凸部Ｃ１２ａの位置よりも、下方に設けてある。
【００４１】
これにより、本実施形態に係る椅子Ｃは、上記の第一実施形態同様に、脚構造体Ｃ１の座支持部Ｃ１２を外方から有効に隠蔽し得るものとなっている。しかも、凹部Ｃ２１ｂは、垂下部Ｃ２２の近傍に設けてあるので、左右方向への外れ防止効果も有効に奏している。
【００４２】
＜第四実施形態＞
さらに、本実施形態の第四実施形態について説明する。なお以下に記していく各実施形態について、同じ又は相当する構成要素については頭文字を「Ａ」、「Ｂ」又は「Ｃ」に代えて、「Ｄ」と記す以外は同じ数字を付するとともに、それらの詳細な説明は適宜省略するものとする。
【００４３】
本実施形態に係る椅子Ｄは、上記第三実施形態同様に、脚構造体Ｄ１が係合凸部Ｄ１２ａを有するとともに、着座部Ｄ２１の下面Ｄ２１ａに設けた係合凹部Ｄ２１ｂを設け、係合凸部Ｄ１２ａと係合凹部Ｄ２１ｂとが凹凸係合するようにしたものである。
【００４４】
すなわち本実施形態では、図１１及び図１２に示すように、脚構造体Ｄ１を、平面視中央で屈曲した２枚の板材の中央部分を接着させて構成することにより、平面視中央で交差するように、いわゆるＸ字状に形成したものである。そして当該脚構造体Ｄ１の四隅に係合凸部Ｄ１２ａを有した座支持部Ｄ１２を設けるとともに、座Ｄ２の下面Ｄ２１ａには、それぞれ平面視傾斜下方向に延出する係合凹部Ｄ２１ｂが設けられている。そして本実施形態の場合、脚構造体Ｄ１の係合凸部Ｄ１２ａ以外の箇所が着座部Ｄ２１の下面Ｄ２１ａに対して上下に一定寸法離間した状態となることにより、上記実施形態同様の変形許容空間Ｓを形成したものとなっている。
【００４５】
このようなものであっても、上記実施形態同様に、垂下部Ｄ２２が座支持部Ｄ１２を有効に隠蔽し得たものとなっている。
【００４６】
＜第五実施形態＞
以下に、本実施形態の第五実施形態について説明する。なお以下に記していく各実施形態について、同じ又は相当する構成要素については頭文字を「Ａ」、「Ｂ」、「Ｃ」又は「Ｄ」に代えて、「Ｅ」と記す以外は同じ数字を付するとともに、それらの詳細な説明は適宜省略するものとする。
【００４７】
本実施形態に係る椅子Ｅは、上述した第三実施形態に対し、脚構造体Ｅ１の脚部Ｅ１１の上端から係合凸部Ｅ１２ａを切り起こして座Ｅ２の着座部Ｅ２１の下面Ｅ２１ａに設けた係合凹部Ｅ２１ｂを凹凸係合している点を始め、略同一の形状をなしたものとしているが、垂下部Ｅ２２並びに座支持部Ｅ１２にそれぞれ位置決め孔Ｅ２２ｃ、Ｅ１２ｃを形成することにより、当該位置決め孔Ｅ２２ｃ、Ｅ１２ｃを設けた箇所をリベットやねじによって固定することで、より確実な座Ｅ２の位置決めを行ない得るようにしているものである。
【００４８】
斯かる構成により、垂下部Ｅ２２は係合凸部Ｅ１２ａと係合凹部Ｅ２１ｂとが係り合った箇所を隠蔽するのみならず、座支持部Ｅ１２に対する座Ｅ２の取り付けを一層確実なものとするために供したものとなっている。
【００４９】
＜第六実施形態＞
以下に、本実施形態の第六実施形態について説明する。なお以下に記していく各実施形態について、同じ又は相当する構成要素については頭文字を「Ｃ」に代えて、「Ｆ」と記す以外は同じ数字を付するとともに、それらの詳細な説明は適宜省略するものとする。
【００５０】
本実施形態に係る椅子Ｆは、脚構造体Ｆ１は第三実施形態のそれと同様のものを四つ適用する一方、これら４つの脚構造体Ｆ１を同時に取り付け得るように構成された単一の座Ｆ２を有したものである。
【００５１】
具体的には、図１５及び図１６に示すように、正面方向すなわち前後方向に４つの脚構造体Ｆ１を配列させて、単一の座Ｆ２によってそれらを取り付けることによって、前後方向に長く構成されたベンチ状の椅子Ｆを構成したものである。なお、このベンチ状の椅子Ｆは、殆どの場合垂下部Ｆ２２を設けた左右方向から着座者、場合によっては複数の着座者が座るものとなっている。
【００５２】
このように、本実施形態に係る椅子Ｆは、上記第三実施形態同様に、垂下部Ｆ２２は座支持部Ｆ１２を有効に隠蔽し得るものとしながら、複数の使用者が同時に着座することができるベンチ状の椅子Ｆを実現したものとなっている。なお本実施形態に係る椅子Ｆは上記並びに図示の態様の他、脚構造体Ｆ１は同図に示すように座Ｆ２の幅一杯に四つ隙間無く並べなくても良い。すなわち、座Ｆ２に十分な強度を持たせることにより、座Ｆ２の長手方向両端、すなわち垂下部Ｆ２２を設けた方向に直交する方向の端部にひとつずつ脚構造体Ｄ１を設けたものであれば、ベンチ状をなす椅子Ｆを構成することができる。
【００５３】
以上、本発明の各実施形態についてそれぞれ説明したが、各部の具体的な構成は、上述した実施形態のみに限定されるものではなく、本発明の趣旨を逸脱しない範囲で種々変形が可能である。
【００５４】
例えば、上記第一実施形態では、一の変形例として、座Ａ２に複数のスリットＡ２３を設けた態様を開示したが、当該スリットＡ２３は、複数上下に延伸させた態様に限られない。すなわち図１７に示すように、前後方向に水平に形成された左右対をなすスリットＡ２３を形成しても、上記第一実施形態同様に、座Ａ２に好適な弾性変形を促すことが可能である。
【００５５】
例えば、上記実施形態では竹材によって構成された椅子を開示したが、勿論、竹以外の素材、例えば木材であったり、合成樹脂、或いは強度を高く構成された紙素材によって本発明の椅子を構成したりしたものであってもよい。また上記実施形態では変形助長部としてスリットや薄肉部を具備する一体として形成された座を開示したが、勿論変形助長部として別体の板状素材を部分的に配したものであっても良い。その他、脚構造体と座との係合、着座面を構成する着座部の具体的形状、或いは背凭れの有無といった、椅子の具体的な態様は上記実施形態のものに限定されることはなく、既存のものを含め、種々の態様のものを適用することができる。
【００５６】
その他、各部の具体的構成についても上記実施形態に限られるものではなく、本発明の趣旨を逸脱しない範囲で種々変形が可能である。
【産業上の利用可能性】
【００５７】
本発明は使用者が容易に座ることができる椅子として利用することができる。
【符号の説明】
【００５８】
Ａ、Ｂ、Ｃ、Ｄ、Ｅ、Ｆ…椅子
Ａ２１、Ｂ２１、Ｃ２１、Ｄ２１、Ｅ２１、Ｆ２１…着座部
Ａ２２、Ｂ２２、Ｃ２２、Ｄ２２、Ｅ２２、Ｆ２２…垂下部
Ａ２、Ｂ２、Ｃ２、Ｄ２、Ｅ２、Ｆ２…座
Ａ１２、Ｂ１２、Ｃ１２、Ｄ１２、Ｅ１２、Ｆ１２…座支持部
Ａ１、Ｂ１、Ｃ１、Ｄ１、Ｅ１、Ｆ１…脚構造体
Ｓ…変形許容空間
Ａ２２ａ、Ｂ２２ａ、Ｃ２２ａ、Ｄ２２ａ、Ｅ２２ａ、Ｆ２２ａ…垂下部の下端（下端）
Ａ２３…変形助長部（スリット）
Ａ２４…変形助長部（薄肉部）
Ａ２１ａ、Ｂ２１ａ、Ｃ２１ａ、Ｄ２１ａ、Ｅ２１ａ、Ｆ２１ａ…着座部の下面（下面）
Ｃ１２ａ、Ｄ１２ａ、Ｅ１２ａ、Ｆ１２ａ…係合凸部
Ｃ２１ｂ、Ｄ２１ｂ、Ｅ２１ｂ、Ｆ２１ｂ…係合凹部
【図１】
2012100769.tif 000003
【図２】
2012100769.tif 000004
【図３】
2012100769.tif 000005
【図４】
2012100769.tif 000006
【図５】
2012100769.tif 000007
【図６】
2012100769.tif 000008
【図７】
2012100769.tif 000009
【図８】
2012100769.tif 000010
【図９】
2012100769.tif 000011
【図１０】
2012100769.tif 000012
【図１１】
2012100769.tif 000013
【図１２】
2012100769.tif 000014
【図１３】
2012100769.tif 000015
【図１４】
2012100769.tif 000016
【図１５】
2012100769.tif 000017
【図１６】
2012100769.tif 000018
【図１７】
2012100769.tif 000019